(57)【要約】【課題】  従来の床拭き具は、払拭部材の内部に硬質な装着手段により着脱の簡単さと、払拭部材だけの使用には支障があり、またコストに問題があった。【解決手段】  モップ基台の上部に固定した元部に柄が後方斜め位置から垂直方向に行き来できるように軸材と、伸縮バネを有して取り付けられ、モップ基台の下面に後半部と前方部の一部分にマジックテープが固着され、そのマジックテープに着脱自在にするスポンジ類から成る拭き部材は、上面の対向する位置に噛み合うマジックテープが固着され、水分を含む拭き部材を２つに折り曲げての脱水と、または巻き込みによる脱水が可能にされている。【選択図】図１
2019213836.tif 000002
【特許請求の範囲】
【請求項１】
モップ基台の上部に元部を有して柄が設けられ、
前記モップ基台の下面と対抗する拭き部材の上面の後半部と前方部の一部分に噛み合うマジックテープが固着され、
またはいずれかの一方には全面にマジックテープが固着されて設けられ、
前記モップ基台から前記拭き部材の前方部の一部分と、全体を着脱自在にしたことを特徴とするモップ具。
【請求項２】
前記モップ基台の下面に後半部と前方の一部分に固着されたマジックテープに、歯み合って止まるマジックテープを、前記拭き部材の上面の対向する位置に固着して設けた請求項１に記載のモップ具。
【請求項３】
前記モップ基台側のマジックテープに対抗する前記拭き部材は、スポンジ類の上部にゴム系スポンジ板材を固着した上面に噛み合うマジックテープを固着して設けた請求項１あるいは２に記載のモップ具。
【請求項４】
前記モップ基台の上部に固定された元部に、前記柄の下端が軸材で上部が前後に動くように取り付け、その柄を後方斜めにした位置で元部の上部に触れて係止する凸条のストパーが柄の下部の両側に突出して設けられ、柄が係止位置から垂直方向に自在に動くように元部が形成され、常時係止位置に戻るように伸縮バネを有して、柄を元部に取り付けた請求項１に記載のモップ具。
【発明の詳細な説明】
【技術分野】
【０００１】  本発明は、浴槽・タイル・車などの水洗いなどに便利さを図ったモップ具に関すること。
【背景技術】
【０００２】  従来のスポンジ類である払拭き部材は、ハンドルによる水絞り装置、またはスポンジ内に係止材などを埋め込まれた床拭き具などがある。
【先行技術】
【特許文献】
【０００３】
【特許文献１】実開平６−６８８５６号公報
【発明の概要】
【発明が解決しようとする課題】
【０００４】  以上に述べた従来の床拭き具は、前半部を折り曲げ後部に重ねて加圧して内部に含まれる水分の脱水がされている。【０００５】  だが、払拭部材の内部に硬質な装着手段と、吸着板が埋め込まれ、払拭部材だけの使用は支障を来たし、用途が限られ、製造コストが高くついた。【０００６】  本発明は、軟質のマジックテープと、スポンジ類を使用した拭き部材は、支障を来たさないで拭き部材だけの使用が可能にされ、製造コストを安く、脱水の機能を有し、柄の動きで使い易くすることを目的としたものである。
【課題を解決するための手段】
【０００７】  そして、本発明は上記の目的を達成するためにモップ基台の上部に元部を有して柄が設けられ、前記モップ基台の下面と対抗する拭き部材の上面の後半部と前方部の一部分に噛み合うマジックテープが固着され、またはいずれかの一方には全面にマジックテープが固着されて設けられ、前記モップ基台から前記拭き部材の前方部の一部分と、全体を着脱自在にしたものである。【０００８】  また、モップ基台の下面に後半部と前方部の一部分にマジックテープのフック状が固着され、そのフッ状に付け剥がしするパイル状のマジックテープが拭き部材の上面の対向する後半部と前方部の一部分に固着されるのが基本であって、フック状と、パイル状が逆くに固着されても機能は可能にされる。【０００９】  また、モップ基台の下面と、拭き部材の上面のいずれか一方には後半部と前方部の一部分にマジックテープを固着し、もう一方には噛み合うマジックテープを全面に固着されても機能は可能にされる。【００１０】  本発明の拭き部材は、吸水性のあるスポンジ類と、吸水性の少ないゴム系スポンジ板材をスポンジ類の上面に合わせて固着したものに、その上面に噛み合うマジックテープを固着した設けたものである。
【発明の効果】
【００１１】  上述したようにモップ基台と、または拭き部材の前方部の一部分にマジックテープを固着することで前方部が剥がれ易く、拭き部材の前方部を剥がして折り曲げ後半部に重ねた下面をモップ基台の下面に加圧することで含まれる水分の脱水が可能になることを提供できる。【００１２】  また、拭き部材はマジックテープと、スポンジ類、さらにゴム係スポンジ板材は、いずれも軟質材で構成され、モップ基台から拭き部材を剥がして拭き部材だけの支障のない拭き作業と、脱水が行なえて使用効果が発揮される。【００１３】  また、モップ基台の上部に固定された元部に、動くように取り付けられた長柄がモップ基台に対してバネとストパーを有して常時適する角度に位置され、斜め後方に伸びる長柄が垂直方向に行き来することでモップ基台の動きに対応することになり効果的な拭き清掃が可能である。【００１４】  次に、拭き部材は吸水性の高いスポンジ類の上部の全面に吸水性の少くないゴム系スポンジ板材を固着して拭き部材を設けることで耐久性と、軽量化による使用効果、または水かき部分の作業が可能である。
【図面の簡単な説明】
【００１５】
【図１】  本発明の実施例を示す斜視図。
【図２】  拭き部材の脱水をする状態を示す切断斜視図。
【図３】  本発明のゴム系スポンジ板材部分の水かき状態を示す斜視図。
【図４】  モップ基台の下面にマジックテープを固着された実施例を示す斜視図。
【図５】  拭き部材の構成された斜視図。
【発明を実施するための形態】
【００１６】  以下、本発明の実施の形態を図１〜５に基づいて説明する。
【００１７】  図においては、モップ基台１の上部に長柄４を取り付ける元部２が上部に開口部３を有して固定され、開口部３から柄４の下部が差し込まれて下端の軸穴５に元部２の両側から軸材７で柄４の上部が前後に動くように取り付けられている。
【００１８】  また、柄４の下部には両側に突出した凸条のストパー６が設けられ、モップ基台１を水平にした状態で、柄４が斜め後方の適する位置で元部２の上部に凸条のストパー６が接触され、柄４の係止位置Ｂが決められている。
【００１９】  さらに、柄４の下部からモップ基台１の上部に伸縮バネ８が連結され、柄４が係止位置Ｂから垂直方に行き来する柄４を常時斜め後方の係止位置Ｂに戻るように伸縮バネ８が設けられている。
【００２０】  また、拭き部材１１は、スポンジ類１３の上部にゴム系スポンジ板材１２を固着し、その上面にモップ基台１の下面に後半部と前方部の一部分に固着されたマジックテープ９・９ａに歯み合うマジックテープ１０・１０ａを対向する上面位位置に固着して、拭き部材１１が設けられている。
【００２１】  また、拭き部材１１はモップ基台１の緑周りからはみ出した状態の大きさを有して構成され、モップ基台１が拭き面に対して触れないようにされている。
【００２２】  また、モップ基台１の下面の後半部と前方部の一部分にマジックテープ９・９ａと、対抗する拭き部材１１の上面には対向する位置の後半部と前方部の一部分に噛み合うマジックテープ１０・１０ａを固着したことで、拭き部材１１の前半部が剥がれ易くなり、前半部を剥がして後半部に折り曲げ重さなった下面をモップ基台１の下面に加圧することで拭き部材１１に含まれる水分の脱水が可能にされている。
【００２３】  また、拭き部材１１に含まれる水分を十分な脱水を図るには、脱水面に対して柄４の操作でモップ基台１の前方を下に立てるようにしてはみ出た拭き部材１１の前方を折り曲げ、曲がった部分をモップ基台１の下面で加圧しながらモップ基台１を水平にするようにして前方にずらすことで拭き部材１１が巻き込まれてモップ基台１の後方部の位置に纏まり、柄４を下に加圧することで十分な脱水が可能にされ、拭き部材は独自の弾力性で原形に戻るようになっている。
【００２４】  また、拭き部材１１は、スポンジ類１３の上面に直接噛み合うマジックテープ１０・１０ａを固着したものでも使用可能であるので、ゴム系スポンジ板材１２を固着してない拭き部材１１でも限定はしていない。
【符号の説明】１        モップ基台
２        元部
４        柄
６        軸材
７        凸条のストパー
８        伸縮バネ
９        マジックテープ
９ａ      マジックテープ
１０      マジックテープ
１０ａ    マジックテープ
１１      拭き部材
１２      ゴム系スポンジ板材
１３      スポンジ類
Ｂ        係止位置
【図１】
2019213836.tif 000003
【図２】
2019213836.tif 000004
【図３】
2019213836.tif 000005
【図４】
2019213836.tif 000006
【図５】
2019213836.tif 000007